(57)【要約】【課題】紙葉類の取り出しや追加の作業を効率的に行うことのできるファイルを提供する。【解決手段】背表紙１２から内側に向けて突出した綴じ片１４を有するファイル本体１０と、紙葉類Ｐ１を綴じ片１４の一方側に綴じるための第１綴じ機構４０と、紙葉類Ｐ２を綴じ片１４の他方側に綴じるための第２綴じ機構４０とを備える。各綴じ機構４０はそれぞれ個別に、紙葉類Ｐ１、Ｐ２を綴じ片１４に綴じた綴じ状態と、紙葉類Ｐ１、Ｐ２を綴じ片１４に綴じたり取り外すことが可能な綴じ解除状態との間で切換自在とする。【選択図】図５
2014201037.tif 000002
【特許請求の範囲】
【請求項１】
背表紙から内側に向けて突出した綴じ片を有するファイル本体と、
紙葉類を前記綴じ片の一方側に綴じるための第１綴じ機構と、
紙葉類を前記綴じ片の他方側に綴じるための第２綴じ機構と
を備え、
前記第１綴じ機構および前記第２綴じ機構はそれぞれ個別に、前記紙葉類を前記綴じ片に綴じた綴じ状態と、前記紙葉類を前記綴じ片に綴じたり取り外すことが可能な綴じ解除状態との間で切換自在であることを特徴とするファイル。
【請求項２】
前記綴じ片は前記背表紙の幅方向に互いに離間しつつ複数設けられており、前記複数の綴じ片のそれぞれに対して前記第１綴じ機構および前記第２綴じ機構が設けられている請求項１に記載のファイル。
【請求項３】
前記第１綴じ機構および前記第２綴じ機構は、前記綴じ片に取り付けられた綴じ足と、前記紙葉類に形成された綴じ孔に通された前記綴じ足を係止する綴じ具とを有する請求項１または２に記載のファイル。
【請求項４】
前記綴じ片は、前記背表紙を内側に折り曲げて形成される第１折曲部と、前記内側に折り曲げた背表紙を外側に折り返して形成される第２折曲部とを重ね合わせることで形成され、
前記第１折曲部および前記第２折曲部には前記綴じ足を挿通させるための貫通孔が形成されており、
前記貫通孔に挿通させた前記綴じ足が前記貫通孔から抜け出すことを防止する係止片を、前記第１折曲部および前記第２折曲部の間で前記綴じ足に取り付けてある請求項３に記載のファイル。
【請求項５】
前記綴じ足の中央部に前記係止片が取り付けられており、前記中央部の両側にある前記綴じ足の両端部をそれぞれ前記第１折曲部および前記第２折曲部に設けられた前記貫通孔に挿通させてある請求項４に記載のファイル。
【請求項６】
前記係止片には前記綴じ足を挿通させるための通し孔が設けられ、
前記綴じ足の前記中央部が前記両端部よりも細く形成されることで前記両端部と前記中央部との間に段部が形成されており、
前記通し孔に前記中央部を挿通させた状態で前記係止片が前記綴じ足に取り付けられることで、前記綴じ足が前記係止片に対して移動すると前記段部が前記係止片に当接し、前記綴じ足が前記係止片から抜け出ることを抑制する請求項５に記載のファイル。
【請求項７】
前記綴じ具は、前記綴じ足が挿通可能な挿通孔が形成されるとともに延設方向に延びるレール部材と、前記レール部材に係合した状態で前記延設方向に移動可能なスライド部材とを有し、
前記スライド部材が前記延設方向に移動することで、前記挿通孔に挿通された前記綴じ足を前記レール部材と前記スライド部材との間に挟み込んで係止する請求項３ないし６のいずれか１項に記載のファイル。
【請求項８】
前記延設方向において先端に向かうほど徐々に幅が広くなることで前記スライド部材の前記先端への移動を阻止するテーパー部が前記レール部材に設けられており、前記スライド部材を前記先端に向かって前記テーパー部まで押し込むことで前記綴じ足を係止可能な請求項７に記載のファイル。
【発明の詳細な説明】
【技術分野】
【０００１】
この発明は、ファイル本体に設けられた綴じ片に紙葉類を綴じ込むファイルに関するものである。
【背景技術】
【０００２】
従来より、ファイル本体に設けられた綴じ片に紙葉類を綴じ込むことができるファイルが知られている。例えば、特許文献１では、ファイル本体の内側に突出した綴じ片が設けられており、この綴じ片に紙葉類を綴じるための綴じ足が固定されている。そして、紙葉類に設けられた綴じ孔に綴じ足を通し、この綴じ足を綴じ足係止部で係止することで、紙葉類が綴じ片に綴じられる構成となっている。
【先行技術文献】
【特許文献】
【０００３】
【特許文献１】特開２００３−２７６３７３号公報
【発明の概要】
【発明が解決しようとする課題】
【０００４】
ここで、特許文献１のファイルでは、綴じ片の一方側にしか綴じ機構（綴じ足および綴じ足係止部からなる機構）が設けられていないため、かかる一方側から紙葉類の取り出しや追加の作業を行わざるを得ない。このため、例えば奥のほう（綴じ片寄りのほう）に綴じられている紙葉類を取り出したり、あるいは奥のほうに紙葉類を追加したりする場合には、それよりも手前に綴じられている多くの紙葉類を一旦取り外さなければならないことがあり、紙葉類の取り出しや追加の作業が非効率となることがあった。
【０００５】
この発明は上記課題に鑑みなされたものであり、紙葉類の取り出しや追加の作業を効率的に行うことのできるファイルの提供を目的とする。
【課題を解決するための手段】
【０００６】
この発明にかかるファイルは、上記目的を達成するため、背表紙から内側に向けて突出した綴じ片を有するファイル本体と、紙葉類を綴じ片の一方側に綴じるための第１綴じ機構と、紙葉類を綴じ片の他方側に綴じるための第２綴じ機構とを備え、第１綴じ機構および第２綴じ機構はそれぞれ個別に、紙葉類を綴じ片に綴じた綴じ状態と、紙葉類を綴じ片に綴じたり取り外すことが可能な綴じ解除状態との間で切換自在であることを特徴とする。
【０００７】
本発明にかかるファイルでは、ファイル本体の背表紙から内側に向けて突出した綴じ片に紙葉類を綴じるための綴じ機構として、紙葉類を綴じ片の一方側に綴じるための第１綴じ機構と他方側に綴じるための第２綴じ機構とが設けられている。すなわち、本発明では、第１綴じ機構および第２綴じ機構により、綴じ片の両側に分けて紙葉類を綴じることができる。しかも、第１綴じ機構および第２綴じ機構はそれぞれ個別に、綴じ状態と綴じ解除状態との間で切換自在に構成されている。このため、第１綴じ機構のみを綴じ解除状態とすれば、綴じ片の一方側に対して紙葉類の取り出しや追加の作業を行うことができ、綴じ片の他方側に綴じられている紙葉類を取り外す必要はない。同様に、第２綴じ機構のみを綴じ解除状態とすれば、綴じ片の他方側に対して紙葉類の取り出しや追加の作業を行うことができ、綴じ片の一方側に綴じられている紙葉類を取り外す必要はない。このように、綴じ片の両側に対して紙葉類を分けて綴じることができ、しかも各側に対して個別に紙葉類の取り出しや追加の作業を行うことができるため、これらの作業の際に一旦取り外さなければならない紙葉類を減らすことができ、紙葉類の取り出しや追加の作業を効率的に行うことが可能となる。
【０００８】
ここで、綴じ片は背表紙の幅方向に互いに離間しつつ複数設けられており、複数の綴じ片のそれぞれに対して第１綴じ機構および第２綴じ機構が設けられていると好適である。このように複数の綴じ片を設けた場合には、紙葉類をより細かく分類してファイルに綴じることができるため、紙葉類の追加あるいは取り外しの作業を行う際に、一旦取り外さなければならない紙葉類をより少なくすることができ、作業効率が一層向上する。
【０００９】
なお、本発明にかかるファイルでは種々の綴じ機構を採用し得るが、その一例として、第１綴じ機構および第２綴じ機構は、綴じ片に取り付けられた綴じ足と、紙葉類に形成された綴じ孔に通された綴じ足を係止する綴じ具とを有するように構成することができる。
【００１０】
このとき、綴じ片は、背表紙を内側に折り曲げて形成される第１折曲部と、内側に折り曲げた背表紙を外側に折り返して形成される第２折曲部とを重ね合わせることで形成され、第１折曲部および第２折曲部には綴じ足を挿通させるための貫通孔が形成されており、貫通孔に挿通させた綴じ足が貫通孔から抜け出すことを防止する係止片を、第１折曲部および第２折曲部の間で綴じ足に取り付けてあるとよい。このように、綴じ足が貫通孔から抜け出すことを防止する係止片を第１折曲部と第２折曲部との間で綴じ足に取り付けることで、綴じ足が貫通孔から抜け出て綴じ片から外れることを防止できる。
【００１１】
さらに、綴じ足の中央部に係止片が取り付けられており、中央部の両側にある綴じ足の両端部をそれぞれ第１折曲部および第２折曲部に設けられた貫通孔に挿通させてあるとよい。こうすることで、綴じ片の両側に引き出される綴じ足を１本で済ませることができ、部品点数を削減することができる。
【００１２】
さらに、係止片には綴じ足を挿通させるための通し孔が設けられ、綴じ足の中央部が両端部よりも細く形成されることで両端部と中央部との間に段部が形成されており、通し孔に中央部を挿通させた状態で係止片が綴じ足に取り付けられることで、綴じ足が係止片に対して移動すると段部が係止片に当接し、綴じ足が係止片から抜け出ることを抑制するように構成することができる。このように、綴じ足の中央部を両端部よりも細くし、中央部と両端部との間に形成される段部に、綴じ足が係止片から抜け出ることを抑制する役割を持たせることで、簡易な構成で綴じ足が係止片から抜け出ることを抑制し、ひいては綴じ足が貫通孔から抜け出ることを抑制することができる。
【００１３】
また、綴じ具の具体構成は種々考えられるが、例えば、綴じ具は、綴じ足が挿通可能な挿通孔が形成されるとともに延設方向に延びるレール部材と、レール部材に係合した状態で延設方向に移動可能なスライド部材とを有し、スライド部材が延設方向に移動することで、挿通孔に挿通された綴じ足をレール部材とスライド部材との間に挟み込んで係止するよう構成することができる。
【００１４】
このとき、延設方向において先端に向かうほど徐々に幅が広くなることでスライド部材の先端への移動を阻止するテーパー部がレール部材に設けられており、スライド部材を先端に向かってテーパー部まで押し込むことで綴じ足を係止可能に構成すると好適である。かかる構成によれば、スライド部材がテーパー部まで押し込まれて綴じ足が係止されるので、綴じ足の係止時にはスライド部材がテーパー部に食い込んで大きな摩擦力が発生する。このため、スライド部材が意図せず移動することで綴じ足を係止した状態が解除されてしまうことを抑制できる。
【図面の簡単な説明】
【００１５】
【図１】本発明にかかるファイルの一実施形態を示す斜視図である。
【図２】図１のファイルに設けられた綴じ足および係止片の構成を示す斜視図である。
【図３】図１のファイルにおける綴じ足の取り付け形態を示す断面図である。
【図４】図１のファイルに用いられる綴じ具の一例を示す図である。
【図５】図１のファイルに紙葉類を綴じた状態を模式的に示す上面図である。
【発明を実施するための形態】
【００１６】
図１は、本発明にかかるファイルの一実施形態を示す斜視図であり、図２は、図１のファイルに設けられた綴じ足および係止片の構成を示す斜視図であり、図３は、図１のファイルにおける綴じ足の取り付け形態を示す断面図である。なお、図１や以下の図面では必要に応じて、各部の配置関係を明確にするために、ファイル１を図１のように見た場合の左右方向Ｘ、前後方向Ｙおよび上下方向Ｚに対応した三次元の座標系を採用している。
【００１７】
ファイル１は、表表紙１１、背表紙１２、裏表紙１３および綴じ片１４を有するファイル本体１０と、綴じ片１４に取り付けられた綴じ足２０と、綴じ足２０を係止して紙葉類を綴じ片１４に綴じるための後述の綴じ具（図４参照）とを有して構成される。ファイル本体１０は１枚のシート状部材からなっており、このシート状部材を適当な位置で折り曲げることで、表表紙１１、背表紙１２、裏表紙１３および綴じ片１４が形成されている。より具体的には、背表紙１２を基準とすると、背表紙１２と連続している左側の部分が前側（内側）に折り曲げられて表表紙１１となり、背表紙１２と連続している右側の部分が前側（内側）に折り曲げられて裏表紙１３となっている。
【００１８】
背表紙１２から内側に向けて突出する綴じ片１４は、次のようにして形成される。すなわち、図３に示すように、綴じ片１４は、背表紙１２を前側（内側）に折り曲げて形成される第１折曲部１４ａと、この折り曲げられた背表紙１２を所定の位置で後側（外側）に折り返して形成される第２折曲部１４ｂとを有して構成される。第１折曲部１４ａおよび第２折曲部１４ｂは前後方向Ｙの長さが同じとなっており、第１折曲部１４ａと第２折曲部１４ｂとを重ね合わせることで綴じ片１４が形成される。したがって、綴じ片１４は背表紙１２から内側に第１折曲部１４ａおよび第２折曲部１４ｂの長さ分だけ突出し、綴じ片１４の高さ（上下方向Ｚの長さ）は背表紙１４と同じとなっている。
【００１９】
図１に示すように、ファイル１では、上述のようにして形成される綴じ片１４が背表紙１２の幅方向（左右方向Ｘ）に互いに離間しつつ略等間隔に３つ設けられている。各綴じ片１４には、左右方向Ｘに貫通する貫通孔１４ｃが上下方向の２か所に形成されている。この貫通孔１４ｃには、綴じ足２０が綴じ片１４の両側に引き出された状態で挿通されている。そして、綴じ片１４の両側に引き出された綴じ足２０を紙葉類に形成された綴じ孔に通してから、各綴じ足２０を後述の綴じ具で係止することで、綴じ片１４の両側に紙葉類を綴じることができる。
【００２０】
図２に示すように、綴じ足２０の基本形状は長手方向Ｄａに沿って延びるベルト状となっている。綴じ足２０は、図２の左側から右側に向かって順番に、一端部２０ａ、中央部２０ｂおよび他端部２０ｃの各部からなっており、中央部２０ｂの幅ｗ２は、その両側の一端部２０ａおよび他端部２０ｃの幅ｗ１よりも小さい。そして、このような幅の違いにより、一端部２０ａと中央部２０ｂとの間および他端部２０ｃと中央部２０ｂとの間に段部２０ｄが形成される。なお、綴じ足２０は、適度な柔軟性を有する例えば樹脂等により作製されている。
【００２１】
ここで、綴じ足２０には、綴じ足２０が綴じ片１４の貫通孔１４ｃから抜け出ることを防止するための係止片２１が取り付けられる。図２のａ図は、係止片２１を綴じ足２０に取り付ける前の状態を示し、図２のｂ図は、係止片２１を綴じ足２０に取り付けた後の状態を示す。係止片２１は厚みの小さな板状の部材であり、その幅および高さは、綴じ片１４に形成される貫通孔１４ｃの内寸よりも大きい。すなわち、係止片２１は貫通孔１４ｃを通過できない形状・寸法を有している。また、係止片２１には、厚み方向に貫通する通し孔２１ａが形成されている。この通し孔２１ａは断面形状が矩形となっており、その幅ｗは、綴じ足２０の中央部２０ｂの幅ｗ２よりも大きく、綴じ足２０の一端部２０ａおよび他端部２０ｃの幅ｗ１よりも小さい。また、通し孔２１ａの高さｈは綴じ足２０の厚みよりも大きい。
【００２２】
係止片２１を綴じ足２０に取り付けるためには、綴じ足２０を一端部２０ａまたは他端部２０ｃのいずれかの側から係止片２１の通し孔２１ａに挿通させて、通し孔２１ａ内に綴じ足２０の中央部２０ｂを位置させる。このとき、通し孔２１ａの幅ｗは、綴じ足２０の一端部２０ａおよび他端部２０ｃの幅ｗ１よりも小さいので、そのままの状態では綴じ足２０を通し孔２１ａに通すことができない。しかしながら、通し孔２１ａの高さｈを綴じ足２０の厚みよりも大きくしてあるので、綴じ足２０の一部を折り曲げるなどして変形させることで、綴じ足２０を通し孔２１ａに通すことができる。
【００２３】
そして、図２のｂ図に示すように、一旦、係止片２１を綴じ足２０の中央部２０ｂに取り付けると、綴じ足２０を係止片２１に対して移動させても、綴じ足２０の段部２０ｄが係止片２１に当接して引っ掛かり、綴じ足２０が係止片２１から簡単には抜け出ないようになっている。このように、綴じ足２０の段部２０ｄに綴じ足２０が係止片２１から抜け出ることを抑制する役割を持たせることで、簡易な構成で綴じ足２０が係止片２１から抜け出ることを抑制できる。
【００２４】
ここで、綴じ足２０の中央部２０ｂの長手方向Ｄａにおける長さを、係止片２１の厚みよりも十分に大きくしておけば、係止片２１に対して綴じ足２０が長手方向Ｄａに移動できるだけの遊びが生ずる。このような遊びを設けることで、綴じ片１４の両側に引き出す綴じ足２０の長さを調整することができる。例えば、綴じ片１４の一方側に綴じる紙葉類の量が他方側に綴じる紙葉類の量と比べて多い場合には、上記遊びにより移動が許される範囲内で綴じ足２０を綴じ片１４の一方側に引き出せば、後述の綴じ具に係止させる綴じ足２０の長さを十分に確保して、安定的に紙葉類を綴じることができる。
【００２５】
次に、綴じ足２０の綴じ片１４への取り付けについて説明する。図３に示すように、綴じ足２０の中央部２０ｂに取り付けられた係止片２１を第１折曲部１４ａと第２折曲部１４ｂとの間に配置するとともに、綴じ足２０の一端部２０ａを第１折曲部１４ａの貫通孔１４ｃに通し、綴じ足２０の他端部２０ｃを第２折曲部１４ｂの貫通孔１４ｃに通す。このように、綴じ足２０の一端部２０ａおよび他端部２０ｃを綴じ片１４の両側にそれぞれ引き出すことで、綴じ片１４の両側に引き出される綴じ足２０を１本で済ませることができ、部品点数を削減することができる。
【００２６】
ここで、上述のように、係止片２１の幅および高さは貫通孔１４ｃの内寸よりも大きいので、第１折曲部１４ａと第２折曲部１４ｂとの間に配置された係止片２１が貫通孔１４ｃを通過することはない。したがって、係止片２１が取り付けられている綴じ足２０を綴じ片１４の両側に引っ張っても、第１折曲部１４ａと第２折曲部１４ｂとの間に配置された係止片２１が貫通孔１４ｃから抜け出すことがないため、その結果、綴じ足２０が貫通孔１４ｃから抜け出て綴じ片１４から外れることを防止できる。
【００２７】
なお、このファイル１では、綴じ足２０および係止片２１を上述のように配設した後、第１折曲部１４ａおよび第２折曲部１４ｂを接着部１４ｄを介して互いに固着させることで、綴じ足２０や係止片２１が背表紙１２側から抜けてしまうことを防止している。なお、第１折曲部１４ａおよび第２折曲部１４ｂを互いに固着させる方法としては接着以外の形態を採用してもよい。例えば、ホチキス止めやビス止めで固定してもよいし、ファイル本体１０が樹脂製の場合には溶着で固定することも可能である。
【００２８】
次に、綴じ足２０を係止させるための綴じ具について説明する。図４は、図１のファイルに用いられる綴じ具の一例を示す図である。より詳しくは、図４のａ図は、綴じ具３０が綴じ足２０を係止していない状態を示し、図４のｂ図は、綴じ具３０が綴じ足２０を係止している状態を示す。また、図４には、断面Ｓ１、Ｓ２における綴じ具３０の断面図も示してある。
【００２９】
綴じ具３０は、延設方向Ｄｂに延びるレール部材３１と、レール部材３１に係合した状態で延設方向Ｄｂに移動可能なスライド部材３２とを有する。より詳細には、レール部材３１には幅方向の両側に向かって基部３１ｂから突出する突出部３１ａが設けられている。一方、スライド部材３２には、その幅方向の両端部に断面凹状の係合部３２ａが設けられている。そして、レール部材３１の突出部３１ａとスライド部材３２の係合部３２ａとが嵌合するようにスライド部材３２がレール部材３１に取り付けられることで、スライド部材３２がレール部材３１に対して延設方向Ｄｂに摺動可能となっている。
【００３０】
上述のように、綴じ片１４には、上下方向Ｚにおいて２か所に綴じ足２０が設けられている（図１参照）。したがって、これと対応するように、レール部材３１には綴じ足２０を挿通させるための挿通孔３１ｃが延設方向Ｄｂの２か所に設けられており、また、スライド部材３２も延設方向Ｄｂに２つ設けられている。レール部材３１の表面には延設方向Ｄｂに沿って溝部３１ｄが形成されており、挿通孔３１ｃに挿通された綴じ足２０がこの溝部３１ｄに収まりつつ、レール部材３１とスライド部材３２によって挟み込まれることで、綴じ足２０が綴じ具３０に係止される。
【００３１】
ここで、レール部材３１の延設方向Ｄｂにおける両端部には、先端に向かうほど幅が広くなるテーパー部３１ｅが設けられている。具体的には、延設方向Ｄｂの先端に向かうほど、レール部材３１の突出部３１ａの突出幅が徐々に大きくなることで、テーパー部３１ｅが形成されている。そして、先端に到るまでに、テーパー部３１ｅの幅はスライド部材３２の係合部３２ａの内壁３２ｂ間の距離よりも大きくなり、スライド部材３２を先端側に移動させると、その途中でスライド部材３２の内壁３２ｂとテーパー部３１ｅとが当接し、スライド部材３２がさらに先端に向かって移動することが阻止される。
【００３２】
そして、図４のｂ図に示すように、スライド部材３２を先端に向かってテーパー部３１ｅが形成されている領域まで押し込むことで、綴じ足２０が綴じ具３０により係止される。このように、スライド部材３２がテーパー部３１ｅまで押し込まれて綴じ足２０が係止されることで、綴じ足２０の係止時にはスライド部材３２がテーパー部３１ｅに食い込んで大きな摩擦力が発生する。このため、スライド部材３２が意図せず移動することで綴じ足２０を係止した状態が解除されてしまうことを抑制できる。
【００３３】
以上のように構成されたファイル１において、実際に紙葉類を綴じた状態を図５に示す。図５は、図１のファイルに紙葉類を綴じた状態を模式的に示す上面図である。ファイル１には、綴じ片１４を３つ設けてあり、各綴じ片１４の左右両側に対して綴じ足２０および綴じ具３０を有する綴じ機構４０が設けられている。したがって、３つの綴じ片１４の両側、すなわち計６か所に分けて紙葉類Ｐ１〜Ｐ６を綴じることができる。
【００３４】
各綴じ機構４０に綴じられる紙葉類Ｐ１〜Ｐ６には、綴じ足２０を通すための綴じ孔が形成されている。そして、この綴じ孔に綴じ足２０を通し、綴じ孔から引き出された綴じ足２０の先端部を綴じ具３０によって係止することで、紙葉類Ｐ１〜Ｐ６が各綴じ片１４に綴じられる。なお、ファイル１に綴じられる紙葉類とは、一般的な書類に限らず、例えば名刺や写真などを収容可能なシート等であってもよい。
【００３５】
１つの綴じ片１４の両側に引き出された綴じ足２０は、それぞれ別の綴じ具３０によって係止されている。このため、綴じ片１４の両側に引き出された各綴じ足２０は個別に、綴じ具３０によって係止された状態と係止されていない状態とに切り換えることができる。換言すると、１つの綴じ片１４の両側にそれぞれ設けられた綴じ機構４０（綴じ足２０および綴じ具３０を有する機構）は個別に、紙葉類を綴じ片１４に綴じている綴じ状態と、紙葉類を綴じ片１４に綴じたり取り外すことが可能な綴じ解除状態とに切換自在となっている。
【００３６】
このようにファイル１では、ファイル本体１０の背表紙１２から内側に向けて突出した綴じ片１４に紙葉類を綴じるための綴じ機構４０が、綴じ片１４の両側に設けられており、しかも、両側に設けられた綴じ機構４０は個別に、綴じ状態と綴じ解除状態との間で切換自在に構成されている。したがって、例えば図５の一番左側の綴じ片１４に着目した場合、紙葉類Ｐ１を綴じている綴じ具３０のみを取り外して綴じ解除状態とすれば、綴じ片１４の一方側（紙葉類Ｐ１が綴じられている側）に対して紙葉類の取り出しや追加の作業を行うことができ、綴じ片１４の他方側（紙葉類Ｐ２が綴じられている側）に綴じられている紙葉類Ｐ２を取り外す必要はない。同様に、紙葉類Ｐ２を綴じている綴じ具３０のみを取り外して綴じ解除状態とすれば、綴じ片１４の他方側に対して紙葉類の取り出しや追加の作業を行うことができ、綴じ片１４の一方側に綴じられている紙葉類Ｐ１を取り外す必要はない。このように、綴じ片１４の両側に対して紙葉類Ｐ１、Ｐ２を分けて綴じることができ、しかも各側に対して個別に紙葉類の取り出しや追加の作業を行うことができるため、これらの作業の際に一旦取り外す必要のある紙葉類を減らすことができ、紙葉類の取り出しや追加の作業を効率的に行うことが可能となる。
【００３７】
さらに、ファイル１では、綴じ片１４は背表紙１２の幅方向に互いに離間しつつ複数（３つ）設けられており、複数の綴じ片１４のそれぞれに対して両側に綴じ機構４０が設けられている。したがって、紙葉類をより細かく分類してファイル１に綴じることができるため、紙葉類の追加あるいは取り外しの作業を行う際に、一旦取り外さなければならない紙葉類をより少なくすることができ、作業効率が一層向上する。
【００３８】
なお、本発明は上記実施形態に限定されるものではなく、その趣旨を逸脱しない限りにおいて上記実施形態に種々の変更を加えることが可能である。例えば、上記実施形態では、綴じ機構４０として綴じ足２０と綴じ具３０とを有する機構を採用して説明したが、綴じ機構４０の構成はこれに限らない。例えば、実開平７−１２２７４号公報に記載されているような留め金を綴じ機構としても採用してもよいし、特開平１０−１２９１７０号公報や実用新案登録第３０５２３２７号で用いられているクリップ等を綴じ機構として採用することも可能である。また、綴じ足２０や綴じ具３０を用いる場合においても、これらの具体構成は適宜変更が可能である。
【００３９】
また、上記実施形態では、綴じ足２０と係止片２１とを別部材とし、係止片２１の通し孔２１ａに綴じ足２０を挿通させることで、係止片２１を綴じ足２０に取り付けるものとした。しかしながら、綴じ足２０と係止片２１とを最初から一部材として構成することも可能である。また、係止片２１は、綴じ片１４の貫通孔１４ｃから抜け出ないものであれば、その形状・寸法等を適宜変更することが可能である。また、綴じ足２０が係止片２１の通し孔２１ａから抜け出ることを抑制できれば、これらの形状・寸法等も適宜変更することが可能である。さらには、係止片２１を設けることは本発明に必須の要件ではなく、例えば接着やホチキス止め等の他の手段により綴じ足２０を直接綴じ片１４に取り付けてもよい。
【００４０】
また、上記実施形態では、１本の綴じ足２０を綴じ片１４の両側から引き出すものとした。しかしながら、このような構成は本発明に必須の要件ではなく、綴じ片１４の両側に引き出す綴じ足２０をそれぞれ別に設けることも可能である。この場合、各側に引き出される綴じ足２０の基端部に係止片２１を取り付けて綴じ片１４に係止させてもよいし、綴じ足２０を接着やホチキス止め等の他の手段により綴じ片１４に取り付けてもよい。
【００４１】
また、上記実施形態では、１枚のシート状部材を折り曲げることで、背表紙１２から内側に突出する綴じ片１４を３つ設ける構成とした。しかしながら、綴じ片１４の形成方法はこれに限らない。例えば、背表紙１２と綴じ片１４とを別部材として用意し、綴じ片１４を背表紙１２の内側に固着させることも可能である。また、綴じ片１４の数や形状も適宜変更が可能である。
【００４２】
また、上記実施形態では、テーパー部３１ｅをレール部材３１の突出部３１ａに設けるものとした。しかしながら、レール部材３１の基部３１ｂにテーパー部３１ｅを設けてもよいし、突出部３１ａと基部３１ｂとの両方にテーパー部３１ｅを設けてもよい。
【産業上の利用可能性】
【００４３】
この発明は、紙葉類を綴じるファイル全般に適用することができる。
【符号の説明】
【００４４】
１…ファイル
１０…ファイル本体
１２…背表紙
１４…綴じ片
１４ａ…第１折曲部
１４ｂ…第２折曲部
１４ｃ…貫通孔
２０…綴じ足
２０ａ…一端部（両端部）
２０ｂ…中央部
２０ｃ…他端部（両端部）
２０ｄ…段部
２１…係止片
２１ａ…通し孔
３０…綴じ具
３１…レール部材
３１ｃ…挿通孔
３１ｅ…テーパー部
３２…スライド部材
４０…綴じ機構（第１綴じ機構、第２綴じ機構）
Ｄａ…長手方向
Ｄｂ…延設方向
【図１】
2014201037.tif 000003
【図２】
2014201037.tif 000004
【図３】
2014201037.tif 000005
【図４】
2014201037.tif 000006
【図５】
2014201037.tif 000007
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
背表紙から内側に向けて突出した綴じ片を有するファイル本体と、
紙葉類を前記綴じ片の一方側に綴じるための第１綴じ機構と、
紙葉類を前記綴じ片の他方側に綴じるための第２綴じ機構と
を備え、
前記第１綴じ機構および前記第２綴じ機構はそれぞれ個別に、前記紙葉類を前記綴じ片に綴じた綴じ状態と、前記紙葉類を前記綴じ片に綴じたり取り外すことが可能な綴じ解除状態との間で切換自在であり、
前記綴じ片は前記背表紙の幅方向に互いに離間しつつ複数設けられており、前記複数の綴じ片のそれぞれに対して前記第１綴じ機構および前記第２綴じ機構が設けられており、
前記第１綴じ機構および前記第２綴じ機構は、前記綴じ片に取り付けられた綴じ足と、前記紙葉類に形成された綴じ孔に通された前記綴じ足を係止する綴じ具とを有し、
前記綴じ片は、前記背表紙を内側に折り曲げて形成される第１折曲部と、前記内側に折り曲げた背表紙を外側に折り返して形成される第２折曲部とを重ね合わせることで形成され、
前記第１折曲部および前記第２折曲部には前記綴じ足を挿通させるための貫通孔が形成されており、
前記貫通孔に挿通させた前記綴じ足が前記貫通孔から抜け出すことを防止する係止片を、前記第１折曲部および前記第２折曲部の間で前記綴じ足に取り付けてあり、
前記綴じ足の中央部に前記係止片が取り付けられており、前記中央部の両側にある前記綴じ足の両端部をそれぞれ前記第１折曲部および前記第２折曲部に設けられた前記貫通孔に挿通させてあり、
前記係止片には前記綴じ足を挿通させるための通し孔が設けられ、
前記綴じ足の前記中央部が前記両端部よりも細く形成されることで前記両端部と前記中央部との間に段部が形成されており、
前記通し孔に前記中央部を挿通させた状態で前記係止片が前記綴じ足に取り付けられることで、前記綴じ足が前記係止片に対して移動すると前記段部が前記係止片に当接し、前記綴じ足が前記係止片から抜け出ることを抑制することを特徴とするファイル。
【請求項２】
前記綴じ具は、前記綴じ足が挿通可能な挿通孔が形成されるとともに延設方向に延びるレール部材と、前記レール部材に係合した状態で前記延設方向に移動可能なスライド部材とを有し、
前記スライド部材が前記延設方向に移動することで、前記挿通孔に挿通された前記綴じ足を前記レール部材と前記スライド部材との間に挟み込んで係止する請求項１に記載のファイル。
【請求項３】
前記延設方向において先端に向かうほど徐々に幅が広くなることで前記スライド部材の前記先端への移動を阻止するテーパー部が前記レール部材に設けられており、前記スライド部材を前記先端に向かって前記テーパー部まで押し込むことで前記綴じ足を係止可能な請求項２に記載のファイル。
【請求項４】
背表紙から内側に向けて突出した綴じ片を有するファイル本体と、
紙葉類を前記綴じ片の一方側に綴じるための第１綴じ機構と、
紙葉類を前記綴じ片の他方側に綴じるための第２綴じ機構と
を備え、
前記第１綴じ機構および前記第２綴じ機構はそれぞれ個別に、前記紙葉類を前記綴じ片に綴じた綴じ状態と、前記紙葉類を前記綴じ片に綴じたり取り外すことが可能な綴じ解除状態との間で切換自在であり、
前記綴じ片は前記背表紙の幅方向に互いに離間しつつ複数設けられており、前記複数の綴じ片のそれぞれに対して前記第１綴じ機構および前記第２綴じ機構が設けられており、
前記第１綴じ機構および前記第２綴じ機構は、前記綴じ片に取り付けられた綴じ足と、前記紙葉類に形成された綴じ孔に通された前記綴じ足を係止する綴じ具とを有し、
前記綴じ具は、前記綴じ足が挿通可能な挿通孔が形成されるとともに延設方向に延びるレール部材と、前記レール部材に係合した状態で前記延設方向に移動可能なスライド部材とを有し、
前記スライド部材が前記延設方向に移動することで、前記挿通孔に挿通された前記綴じ足を前記レール部材と前記スライド部材との間に挟み込んで係止し、
前記延設方向において先端に向かうほど徐々に幅が広くなることで前記スライド部材の前記先端への移動を阻止するテーパー部が前記レール部材に設けられており、前記スライド部材を前記先端に向かって前記テーパー部まで押し込むことで前記綴じ足を係止可能なことを特徴とするファイル。
【請求項５】
前記綴じ片は、前記背表紙を内側に折り曲げて形成される第１折曲部と、前記内側に折り曲げた背表紙を外側に折り返して形成される第２折曲部とを重ね合わせることで形成され、
前記第１折曲部および前記第２折曲部には前記綴じ足を挿通させるための貫通孔が形成されており、
前記貫通孔に挿通させた前記綴じ足が前記貫通孔から抜け出すことを防止する係止片を、前記第１折曲部および前記第２折曲部の間で前記綴じ足に取り付けてある請求項４に記載のファイル。
【請求項６】
前記綴じ足の中央部に前記係止片が取り付けられており、前記中央部の両側にある前記綴じ足の両端部をそれぞれ前記第１折曲部および前記第２折曲部に設けられた前記貫通孔に挿通させてある請求項５に記載のファイル。
【請求項７】
前記係止片には前記綴じ足を挿通させるための通し孔が設けられ、
前記綴じ足の前記中央部が前記両端部よりも細く形成されることで前記両端部と前記中央部との間に段部が形成されており、
前記通し孔に前記中央部を挿通させた状態で前記係止片が前記綴じ足に取り付けられることで、前記綴じ足が前記係止片に対して移動すると前記段部が前記係止片に当接し、前記綴じ足が前記係止片から抜け出ることを抑制する請求項６に記載のファイル。
【手続補正２】
【補正対象書類名】明細書
【補正対象項目名】０００６
【補正方法】変更
【補正の内容】
【０００６】
この発明にかかるファイルの第１態様は、上記目的を達成するため、背表紙から内側に向けて突出した綴じ片を有するファイル本体と、紙葉類を綴じ片の一方側に綴じるための第１綴じ機構と、紙葉類を綴じ片の他方側に綴じるための第２綴じ機構とを備え、第１綴じ機構および第２綴じ機構はそれぞれ個別に、紙葉類を綴じ片に綴じた綴じ状態と、紙葉類を綴じ片に綴じたり取り外すことが可能な綴じ解除状態との間で切換自在であり、綴じ片は背表紙の幅方向に互いに離間しつつ複数設けられており、複数の綴じ片のそれぞれに対して第１綴じ機構および第２綴じ機構が設けられており、第１綴じ機構および第２綴じ機構は、綴じ片に取り付けられた綴じ足と、紙葉類に形成された綴じ孔に通された綴じ足を係止する綴じ具とを有し、綴じ片は、背表紙を内側に折り曲げて形成される第１折曲部と、内側に折り曲げた背表紙を外側に折り返して形成される第２折曲部とを重ね合わせることで形成され、第１折曲部および第２折曲部には綴じ足を挿通させるための貫通孔が形成されており、貫通孔に挿通させた綴じ足が貫通孔から抜け出すことを防止する係止片を、第１折曲部および第２折曲部の間で綴じ足に取り付けてあり、綴じ足の中央部に係止片が取り付けられており、中央部の両側にある綴じ足の両端部をそれぞれ第１折曲部および第２折曲部に設けられた貫通孔に挿通させてあり、係止片には綴じ足を挿通させるための通し孔が設けられ、綴じ足の中央部が両端部よりも細く形成されることで両端部と中央部との間に段部が形成されており、通し孔に中央部を挿通させた状態で係止片が綴じ足に取り付けられることで、綴じ足が係止片に対して移動すると段部が係止片に当接し、綴じ足が係止片から抜け出ることを抑制することを特徴とする。
また、この発明にかかるファイルの第２態様は、上記目的を達成するため、背表紙から内側に向けて突出した綴じ片を有するファイル本体と、紙葉類を綴じ片の一方側に綴じるための第１綴じ機構と、紙葉類を綴じ片の他方側に綴じるための第２綴じ機構とを備え、第１綴じ機構および第２綴じ機構はそれぞれ個別に、紙葉類を綴じ片に綴じた綴じ状態と、紙葉類を綴じ片に綴じたり取り外すことが可能な綴じ解除状態との間で切換自在であり、綴じ片は背表紙の幅方向に互いに離間しつつ複数設けられており、複数の綴じ片のそれぞれに対して第１綴じ機構および第２綴じ機構が設けられており、第１綴じ機構および第２綴じ機構は、綴じ片に取り付けられた綴じ足と、紙葉類に形成された綴じ孔に通された綴じ足を係止する綴じ具とを有し、綴じ具は、綴じ足が挿通可能な挿通孔が形成されるとともに延設方向に延びるレール部材と、レール部材に係合した状態で延設方向に移動可能なスライド部材とを有し、スライド部材が延設方向に移動することで、挿通孔に挿通された綴じ足をレール部材とスライド部材との間に挟み込んで係止し、延設方向において先端に向かうほど徐々に幅が広くなることでスライド部材の先端への移動を阻止するテーパー部がレール部材に設けられており、スライド部材を先端に向かってテーパー部まで押し込むことで綴じ足を係止可能なことを特徴とする。